(57)【要約】【課題】カードサイズのシート材の紛失を予防し、シート材に記載された文字を見やすくすることの可能なシート材収納具の提供を目的とする。【解決手段】シート材収納具１は、シート材３を隔てて対峙した一対の板状部材６，６の周辺の一部にシート材の挿入口７が形成され、残りの板状部材６，６の周辺が接合されてなるシート材収納本体２を備え、該シート材収納本体２を透明とするとともに拡大レンズ４を備えてなる。また、前記構成において、拡大レンズ４としてフレネルレンズ５を用いたことを特徴とするものである。【選択図】図１
2009297136.tif 000002
【特許請求の範囲】
【請求項１】
シート材を隔てて対峙した一対の板状部材の周辺の一部にシート材の挿入口が形成され、残りの板状部材の周辺が接合されてなるシート材収納本体を備え、該シート材収納本体を透明とするとともに拡大レンズを備えてなることを特徴とするシート材を収納するためのシート材収納具。
【請求項２】
拡大レンズとしてフレネルレンズを用いたことを特徴とする請求項１に記載のシート材収納具。
【発明の詳細な説明】
【技術分野】
【０００１】
本発明は、シート材収納具に関するものである。
【背景技術】
【０００２】
近年、１世帯に１枚交付されていた３つ折り式の健康保険被保険者証（保険証）が、家族一人ひとりにそれぞれ１枚ずつ交付されることとなり、これに合わせ、保険証の大きさがカードサイズへと小さくなっている。しかし、交付される保険証の材質は規則に定められておらず、ICカード、プラスチック、紙等、個々の保険組合によって様々な材質の保険証が交付されている。通常、保険証が紙媒体で交付される場合には、合成樹脂製のカードケースに収納された状態で保険者に届けられている。
【０００３】
一方、カードケースに関する多くの技術が開発されており、例えば下記特許文献１には、異なる厚さのカードを収容可能とするため、一の板状ケース部材の両面にそれぞれ深さの異なる平面状凹部と、表裏を逆にして他の板状ケース部材に装着可能な形状とを具備し、一の板状ケース部材の表裏を逆にして他の板状ケース部材に装着することで、異なる深さを有するカード収納のための中空部を実現したことを特徴とするカードケースに関する開示がある。
【０００４】
【特許文献１】特開２００５−３３４０３５号公報
【発明の開示】
【発明が解決しようとする課題】
【０００５】
このカードサイズの保険証は、従来の半分以下の大きさという非常に小さいものであるために紛失しやすい。また、該保険証に記載されている文字も従来と比較して非常に小さくなっているので、記載されている文字が非常に読みづらくなっている。
【０００６】
また、近年、目の悪い人が増加しており、文字が読み辛い者の範囲は高齢者のみならず、若者や中高年にも広がっている。日常生活において、日中は仕事でパソコンを使用し、夜はテレビを見たり、携帯電話等のメール操作をすることによって目を酷使している為に、近視や乱視、角膜や網膜の病気等が非常に多くなっている。しかしながら、病院等に到着した際、目の悪い者が眼鏡やコンタクトレンズを忘れていた場合には、保険証の確認のみならず各種書類に文字等を記入することも非常に困難である。
【０００７】
また、保険証が紙媒体である場合に該保険証を収納するためのケースは、通常、薄手の軟質合成樹脂等により構成されているため、ケース自体の強度が低く、容易に撓んで内部に収容した保険証が破損しやすい。
【０００８】
また、上記特許文献１に記載のカードケースは、異なる厚さの複数のカードの収容が可能であるが、各個人用に一枚づつ交付される保険証にはかえって利用しづらく、また、カードに記載された文字を見やすくするといったこともできない。
【０００９】
これと同様に、紙媒体の保険証以外であっても、診察券や会員証などのカード類について、材質が紙である場合やカードの厚さが比較的薄い場合には、紛失や破損の危険性が高くなる。
【００１０】
本発明は、上記した従来の問題点に鑑みてなされたものであって、カードサイズのシート材の紛失を予防し、シート材に記載された文字を見やすくすることの可能なシート材収納具の提供を目的とする。
【課題を解決するための手段】
【００１１】
上記目的を達成するために、本発明に係るシート材収納具は、シート材を隔てて対峙した一対の板状部材の周辺の一部にシート材の挿入口が形成され、残りの板状部材の周辺が接合されてなるシート材収納本体を備え、該シート材収納本体を透明とするとともに拡大レンズを備えてなることを特徴とする構成にしてある。
【００１２】
また、前記構成において、拡大レンズとしてフレネルレンズを用いたことを特徴とするものである。
【発明の効果】
【００１３】
本発明に係るシート材収納具によれば、シート材を隔てて対峙した一対の板状部材の周辺の一部にシート材の挿入口が形成され、残りの板状部材の周辺が接合されてなるシート材収納本体を備え、該シート材収納本体を透明とするとともに拡大レンズを備えてなるので、強度が高く所定の厚さを有する拡大レンズを備えたシート材収納本体内にシート材を収納することで、小さいサイズのシート材の紛失を予防することができる。また、拡大レンズを用いてシート材の記載内容を拡大して読むことが可能となるので、シート材に記載された文字を見やすくすることができる。
【００１４】
また、拡大レンズとしてフレネルレンズを用い場合には、シート材収納本体を薄型化でき、且つ強度を高めることができ、軽量化も可能である。
【発明を実施するための最良の形態】
【００１５】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係るシート材収納具の斜視図、図２は前記シート材収納具の断面図である。
各図において、この実施形態に係るシート材収納具１は、シート材３を隔てて対峙した板状部材６の周辺が接合され、該周辺の一部にシート材３の挿入口７が形成されてなるシート材収納本体２を備え、該シート材収納本体２を透明とするとともに拡大レンズ４を備えてなる。
【００１６】
シート材３は、保険証、診察券や会員証などのカード類であって、紛失や破損の危険から保護する必要のあるシート状の部材である。シート材の材質は特に限定されないが、紙であるかまたは、厚さが比較的薄い合成樹脂製である場合には、紛失や破損の危険性が高くなるため、本実施形態に係るシート材収納具１に収納し、保護することでシート材３の破損を防止できる。
【００１７】
シート材収納本体２は、シート材３を隔てて対峙した一対の矩形状板状部材６，６の周辺のうち、上辺にシート材３の挿入口７が形成され、残りの左右側辺及び底辺の三辺がヒートシールや接着剤などにより接合された構成を有している。
【００１８】
シート材収納本体２を構成する板状部材６の材質は、強度が高く、軽量で、取り扱いが容易、且つ、安価に製造可能であることから、合成樹脂で構成するのが好ましい。合成樹脂の種類としては、ポリエステル系樹脂、ポリアミド系樹脂、ＡＢＳ樹脂、アクリル系樹脂、ポリオレフィン系樹脂、ポリカーボネート系樹脂など各種のものを使用することができる。
【００１９】
板状部材６を合成樹脂で構成する場合には、該板状部材６と後述する拡大レンズ４とを、同時一体成形して構成できるという利点があり、その製造方法は真空成形法、真空圧空成形法、あるいは射出成形法等公知のものが利用可能である。
【００２０】
また、シート材収納本体２を構成する一対の板状部材６はともに透明に形成されるとともに、双方の板状部材６のいずれにも略全面に拡大レンズ４を形成している。拡大レンズ４は、レンズの厚さを薄く成形可能である点でフレネルレンズ５用いることが好ましい。
【００２１】
そして、図１に示すシート材収納本体２の左上隅部に紐などの策状部材８の挿通穴５が形成されており、該挿通穴６に所定長さの策状部材８が挿通されている。
【００２２】
本実施形態に係るシート材収納具１を使用する際には、挿入口７より、シート材３を挿入し、板状部材６，６の間に収容する。このシート材３がシート材収納具１内に収納された状態で、診察の際に携帯するとともに、自宅において保管する。また、被保険者の氏名や有効期限など、シート材３の記載内容を確認したい場合には、シート材収納本体２からシート材３を取り出し、拡大レンズ４を用いて記載内容を確認する。
【００２３】
以上より、本実施形態にかかるシート材収納具１は、シート材３を隔てて対峙した板状部材６の周辺の一部にシート材３の挿入口７が形成され、残りの板状部材６の周辺が接合されてなるシート材収納本体２を備え、該シート材収納本体２を透明とするとともに拡大レンズ４を備えてなるので、小さいサイズのシート材３の紛失を予防することができる。また、拡大レンズ４を用いてシート材３の記載内容を拡大して読むことが可能となるので、シート材３に記載された文字を見やすくすることができる。
【００２４】
また、近年、目の悪い人が増加しており、文字が読み辛い者の範囲は高齢者のみならず、若者や中高年にも広がっている状況においては、病院等に到着した際、目の悪い者が眼鏡やコンタクトレンズを忘れていた場合に、保険証の確認のみならず各種書類に文字等を記入することも非常に困難となることが多い。このような場合にも、本実施形態に係るシート材収納具１に保険証や診察券等のシート材３を収容しておけば、通常、このような保険証や診察券等のシート材３は、通院時などに携帯するものであるので、拡大レンズ４によって容易に文字などを拡大して見ることができ、各種書類への文字等の記入を補助することができる。
【００２５】
また、拡大レンズ４は薄手の軟質合成樹脂に比較して強度が高いので、紙製の保険証や診察券などのシート材３を保護し、破損を防止することができる。この紙製の保険証を交付する自治体が多く存在するが、このような自治体の運営する国民健康保険組合に加入する者は、社会情勢から健康保険組合に入れない若者の間で増加しているため、本実施形態に係るシート材収容具１を利用することで、紙製のシート材３を保護し、破損を防止することができる。
【００２６】
また、拡大レンズ４としてフレネルレンズ５を用いた場合には、シート材収納本体２を薄型化でき、且つ強度が高く、軽量化も可能である。
【００２７】
そして、シート材収納本体２に策状部材８の挿通穴５を設けたので、該挿通穴５に策状部材８を挿通し、鞄等に括り付けるかまたは首にかけ携帯することでシート材３の置き忘れや紛失を防止できる。
【００２８】
尚、上記の実施形態では、一対の板状部材６双方を透明とし、略全面に拡大レンズ４を設けた構成としたが、本発明のシート材収納具はそれに限定されるものでなく、一方の板状部材のみ拡大レンズを設けてもよく、板状部材の一部のみ透明として拡大レンズを設けてもよい。
【図面の簡単な説明】
【００２９】
【図１】本発明の一実施形態に係るシート材収納具の斜視図である。
【図２】前記シート材収納具の縦断面図である。
【図３】前記シート材収納具の使用態様図である。
【符号の説明】
【００３０】
１    シート材収納具
２    シート材収納本体
３    シート材
４    拡大レンズ
５    フレネルレンズ
６    板状部材
７    挿入口
【図１】
2009297136.tif 000003
【図２】
2009297136.tif 000004
【図３】
2009297136.tif 000005